(57)【要約】【課題】本発明は、アース板付電気コネクタに関し、部品点数を削減して、金型費用と製品コストの低減を図ることが課題である。【解決手段】絶縁性ハウジング２と、該ハウジングに併設される複数個のコンタクト３と、前記ハウジングに脱落しないように保持されるとともに当該ハウジングの一部をカバーして電気的遮蔽をするアース板４とからなる電気コネクタであって、前記複数個のコンタクトの内の一部がアース用のコンタクト３ａ，３ｂとして使用され、前記アース板４には前記アース用のコンタクトの接触側頭部に当接する当接凹部４ａが形成されているとともに、前記アース用のコンタクト以外のコンタクトには電気的に接触しないように当該コンタクトの頭部を避けた開口部４ｂが形成されてなるアース板付電気コネクタ１とする。【選択図】図１
2008041257.tif 000002
【特許請求の範囲】
【請求項１】
絶縁性ハウジングと、該ハウジングに併設される複数個のコンタクトと、前記ハウジングに脱落しないように保持されるとともに当該ハウジングの一部をカバーして電気的遮蔽をするアース板とからなる電気コネクタであって、
前記複数個のコンタクトの内の一部がアース用のコンタクトとして使用され、前記アース板には前記アース用のコンタクトの接触側頭部に当接する当接凹部が形成されているとともに、前記アース用のコンタクト以外のコンタクトには電気的に接触しないように当該コンタクトの頭部を避けた開口部が形成されてなること、
を特徴とするアース板付電気コネクタ。
【請求項２】
アース板は、アース用のコンタクトの当接凹部によって当該アース板の抜け止め方向において弾性的に押圧されていること、
を特徴とする請求項１に記載のアース板付電気コネクタ。
【請求項３】
アース板は、このアース板の抜け止め方向に直交する一方向において、相手側コネクタの当該一方向からの嵌合を許容するテーパ部が形成されていること、
を特徴とする請求項１または２に記載のアース板付電気コネクタ。
【発明の詳細な説明】
【技術分野】
【０００１】
本発明は、例えば、静電対策用のアース板付電気コネクタに関するものである。
【背景技術】
【０００２】
従来、雌・雄の電気コネクタにおいて、相手側コネクタに電気的に接続するためのコンタクトと、該コンタクトを複数個併設して支持する絶縁性ハウジングと、その他に、当該コネクタの嵌合時に相手側コネクタの表面に帯電した静電気をコネクタ実装基板に逃がすためのアース板が設けられているものが知られている（特許文献１参照）。
【０００３】
【特許文献１】特開平８−１８５９３３号公報
【発明の開示】
【発明が解決しようとする課題】
【０００４】
しかし、従来のアース対策を施したコネクタにおいては、図７乃至図８に示すように、従来例に係るコネクタ２０において、相手側のコンタクトと電気的接続を図る複数のコンタクト２１以外に、静電気を逃すためのアース用コンタクト２２を別に形成して設けている。このコンタクト２２の一部が、図７（Ｂ）及び図８（Ｂ）に示すように、絶縁性ハウジング２３の上面から突出している。なお、符号２４は、コンクリートブロック２２の突出高さと同じ高さにしたハウジングの一部のカバーを示している。
【０００５】
よって、雌・雄コネクタを嵌合させる際に、互いのアース用コンタクト２２が先に接触して、帯電した相手側コネクタの静電気が基板側に逃げ、その後、互いの信号コンタクト２１同士が接触して、電気的接続がなされる。このように、従来のコネクタ２０においては、アース用コンタクト２２が、信号コンタクト２１とは別に必要となっていて、当該コンタクト２２用の金型が必要になるとともに、組立の際にも別工程で圧入しなければならず手間が掛かる。また、コネクタ２０にＥＭＩ対策として、金属製のシールド板を設けることになると、部品点数が更に増加する事になり、コネクタ２０全体のコストが嵩むという課題がある。
本発明に係るアース板付電気コネクタは、このような課題を解決するために提案されたものである。
【課題を解決するための手段】
【０００６】
本発明に係るアース板付電気コネクタの上記課題を解決して目的を達成するための要旨は、絶縁性ハウジングと、該ハウジングに併設される複数個のコンタクトと、前記ハウジングに脱落しないように保持されるとともに当該ハウジングの一部をカバーして電気的遮蔽をするアース板とからなる電気コネクタであって、前記複数個のコンタクトの内の一部がアース用のコンタクトとして使用され、前記アース板には前記アース用のコンタクトの接触側頭部に当接する当接凹部が形成されているとともに、前記アース用のコンタクト以外のコンタクトには電気的に接触しないように当該コンタクトの頭部を避けた開口部が形成されてなることである。
【０００７】
また、前記アース板は、アース用のコンタクトの当接凹部によって当該アース板の抜け止め方向において弾性的に押圧されていること、；
更に、前記アース板は、このアース板の抜け止め方向に直交する一方向において、相手側コネクタの当該一方向からの嵌合を許容するテーパ部が形成されていること、；
を含むものである。
【発明の効果】
【０００８】
本発明のアース板付電気コネクタによれば、通常の信号コンタクトの内の一部がアース用のコンタクトとして使用され、特別に別形状のアース用コンタクトを用意する必要が無くなる。それによって、前記アース用コンタクトのための金型が不要となる。また、このコネクタを組み立てる際にも、前記通常の信号コンタクトと別工程の圧入工程を設ける必要も無くなる。更に、ＥＭＩ対策として必要になるアース板が、前記アース用のコンタクトに電気的に接触するようにすることで、従来の別物品のアース用コンタクトに代わって兼用させることができる。
【０００９】
また、前記アース板は、アース用のコンタクトによって当該アース板の抜け止め方向において弾性的に押圧されているので、相手側コネクタと嵌合した際に、当該相手側コネクタのコンタクトが前記アース板の頂部面に先に接触して、相手側コネクタに帯電した静電気が前記アース板付コネクタを実装しているプリント基板にアースされて逃げ、その後、アース板は当接している前記アース用のコンタクトの頭部をその付勢する力に抗して押し付けることになる。よって、前記相手側コネクタのコンタクトと前記アース板と前記アース用コンタクトとが付勢力を有して当接し、確実な接触が確保される。
【００１０】
更に、前記アース板は、このアース板の抜け止め方向に直交する一方向において、相手側コネクタの当該一方向からの嵌合を許容するテーパ部が形成されているので、相手側コネクタを前記一方向から近づけて嵌合させることができて、前記抜け止め方向とこれに直交する方向からの２方向で嵌合が可能となって、嵌合方向の選択の幅が広がることになる。
【発明を実施するための最良の形態】
【００１１】
本発明に係るアース板付電気コネクタ１は、図１（Ａ），（Ｂ）に示すように、合成樹脂製の絶縁性ハウジング２と、該ハウジング２に併設される複数個の信号用のコンタクト３と、前記ハウジング２には該ハウジング２から脱落しないように係合して保持されるとともに当該ハウジング２の一部である上部をカバーして電気的遮蔽をする、例えば、ステンレス製のアース板４とからなる電気コネクタである。
【００１２】
前記複数個のコンタクト３の内の一部が、即ち、併設方向の両端のコンタクト３ａ，３ｂが、アース用のコンタクトとして使用される。このコンタクト３ａ，３ｂは、他の複数個の信号用のコンタクト３と全く同じ形状のものであり、更に、ハウジング２のコンタクト収納溝部へ一緒に圧入して固定される。また、コンタクト３，３ａ，３ｂにおけるコンタクトの頭部である、接触側頭部３ｃの高さ位置も同じである。
【００１３】
前記アース板４には、図２（Ａ）〜（Ｅ）に示すように、前記アース用のコンタクト３ａ，３ｂの接触側頭部３ｃ（図６参照）に当接する当接凹部４ａが形成されている。また、前記アース用のコンタクト３ａ，３ｂ以外のコンタクト３には電気的に接触しないように、当該コンタクト３における接触側頭部３ｃを避けた開口部４ｂが形成されている。
【００１４】
更に、前記アース板４は、このアース板４の抜け止め方向に直交する一方向において、相手側コネクタの当該一方向からの嵌合を許容するテーパ部４ｃが形成されている。また、図２（Ｄ），（Ｅ）に示すように、アース板４の前後両端部に、抜け止め用の係合孔４ｄを有した係合部４ｅが垂設されている。
【００１５】
前記係合部４ｅは、図３に示すように、ハウジング２の前後方向の端部壁面に外側に突出させて設けられた係合突起２ａと、係合するものである。こうして、アース板４は、ハウジング２に取り付けると、図６に示すように、当接凹部４ａがアース用のコンタクト３ａ，３ｂの接触側頂部３ｃに、プリント基板７を水平状態にした場合において上下方向に当接し、当該アース板４の抜け止め方向（上下方向）において弾性的に押圧されている。
【００１６】
このアース板付コネクタ１に嵌合する相手側コネクタ５は、図４に示すように、合成樹脂製の絶縁性ハウジング５ａと、これに併設させる複数個のコンタクト６とからなる。このコンタクト６の、相手側のコンタクト３と電気的接続を図る三角形状の頭部６ｃは、図６に示すように、ハウジング５ａの上端面位置と同じになっている。なお、コンタクト３，３ａ，３ｂとコンタクト６とも、隣接するコンタクトとはその向きを背向させて、互い違いにさせて、隣接するコンタクト同士のピッチを広くしてある。
【００１７】
このようにして構成される本発明のアース付電気コネクタ１によれば、図５乃至図６に示すように、例えば、このアース付電気コネクタ１がプリント基板７に実装されていて、相手側コネクタ５が嵌合されると、最初に、アース用のコンタクト３ａ，３ｂに対応した位置にある相手側コネクタ５のコンタクト６ａ，６ｂの平坦な頭部６ｃが、当接凹部４ａに連続する頂部平面４ｆに当接する。これによって、相手側コネクタ５に帯電した静電気が、前記コンタクト６ａ，６ｂからアース板４とコンタクト３ａ，３ｂを介してプリント基板７の回路にアースされる。
【００１８】
その後、更に、前記相手側コネクタ５が嵌合方向（図６の場合は、上下方向のうちの下方向）に押し込まれると、前記コンタクト６ａ，６ｂによって、コンタクト３ａ，３ｂがその付勢力に抗して撓まされ、アース板４が下方向に押し込まれ移動する。そして、相手側コネクタ５の複数個のコンタクト６の各々の頭部６ｃが、アース付電気コネクタ１においてそれぞれに対応した位置にある複数個のコンタクト３の接触側頭部３ｃに当接して電気的に接続される。
【００１９】
前記アース付電気コネクタ１は、前記アース板４によって相手側コネクタ５の静電気をプリント基板７にアースして逃がすと共に、このアース板４によって電気的に遮蔽されて、ＥＭＩ対策品となる。また、前記相手側コネクタ５を脱着させると、コンタクト６ａ，６ｂによる押圧が解放されるので、前記コネクタ３ａ，３ｂがその弾性力により元の位置に復帰し、接触側頭部３ｃが当接凹部４ａを上に押し上げて、アース板４は、弾性的に支持されて元の位置に戻る。
【００２０】
本発明に係るアース付電気コネクタ１の第２実施例は、アース板４において、図２（Ａ）〜（Ｅ）に示すように、相手側コネクタ５の一方向、例えば、図６では抜け止め方向である上下方向に嵌合させる場合を示しているが、これを左右方向から相手側コネクタ５を嵌合できるように許容するテーパ部４ｃが形成されているものである。このテーパ部４ｃがあることで、相手側コネクタ５の嵌合方向が、抜け止め方向の上下方向と、これに直交する左右方向とにおいて可能となり、嵌合方向の選択の幅が広がることになる。そして、設計においても自由度が増すことになる。
【図面の簡単な説明】
【００２１】
【図１】本発明に係るアース板付電気コネクタ１の、斜視図（Ａ）、平面図（Ｂ）、正面図（Ｃ）、底面図（Ｄ）、側面図（Ｅ）である。
【図２】同本発明のアース板付電気コネクタ１におけるアース板４の、平面図（Ａ）、正面図（Ｂ）、底面図（Ｃ）、側面図（Ｄ）、Ｘ−Ｘ線に沿った断面図（Ｅ）である。
【図３】同アース板付電気コネクタ１の一部における、アース板４とハウジング２との係合状態を示す縦断面図である。
【図４】相手側コネクタ５の、斜視図（Ａ）、平面図（Ｂ）、正面図（Ｃ）、底面図（Ｄ）、側面図（Ｅ）である。
【図５】アース板付電気コネクタ１と相手側コネクタ５との嵌合の様子を示す説明用の斜視図（Ａ）と、同正面図（Ｂ）と、側面図（Ｃ）とである。
【図６】図５（Ｂ）におけるＹ−Ｙ線に沿った断面図である。
【図７】従来例におけるコネクタ２０の斜視図（Ａ）と側面図（Ｂ）とである。
【図８】同コネクタ２０の平面図（Ａ）と、正面図（Ｂ）とである。
【符号の説明】
【００２２】
１          アース板付電気コネクタ、
２          ハウジング、                      ２ａ      係合突起、  
３          コンタクト、
３ａ，３ｂ  アース用のコンタクト、            ３ｃ      接触側頭部、
４          アース板、                        ４ａ      当接凹部、
４ｂ        開口部、                          ４ｃ      テーパ部、
４ｄ        係合孔、                          ４ｅ      係合部、
５          相手側コネクタ、                  ５ａ      絶縁性ハウジング、
６          コンタクト、
６ａ，６ｂ  コンタクト、                      ６ｃ      頭部、
７          プリント基板。
【図１】
2008041257.tif 000003
【図２】
2008041257.tif 000004
【図３】
2008041257.tif 000005
【図４】
2008041257.tif 000006
【図５】
2008041257.tif 000007
【図６】
2008041257.tif 000008
【図７】
2008041257.tif 000009
【図８】
2008041257.tif 000010